(57)【要約】      （修正有）【課題】より簡単且つ確実に消毒でき、清潔さを維持しつつ利用できる脱毛処理装置を提供する。【解決手段】脱毛処理装置は、装置本体２と、ハンドピース３と、照射部３０と、ハンドピース保持部５と、紫外線消毒部１０とを備える。ハンドピース３は、装置本体２と通電ケーブル４を介して接続され、利用者が把持可能な形態を有する。照射部３０は、ハンドピース３に設けられ、脱毛に有効なパルス光を出射する。ハンドピース保持部５は、照射部３０を保持する形態を有する。紫外線消毒部１０は、ハンドピース３がハンドピース保持部５に保持されているとき照射部３０に対向するように配置され、紫外線を発光する。【選択図】図３
0003208358.tif 000002
【実用新案登録請求の範囲】
【請求項１】
光脱毛を行うための脱毛処理装置であって、
装置本体と、
前記装置本体とケーブルを介して接続され、利用者が把持可能な照射操作部と、
前記照射操作部に設けられ、脱毛に有効なパルス光を出射する照射部と、
前記照射操作部を保持する保持部と、
前記照射操作部が前記保持部に保持されているとき前記照射部に対向するように配置され、紫外線を発光する消毒部と、
を備える、脱毛処理装置。
【請求項２】
前記装置本体に設けられ、前記照射部及び前記消毒部の制御を実行する制御部を備える、
請求項１に記載の脱毛処理装置。
【請求項３】
前記装置本体に設けられ、利用者に課金するための利用者毎のカードを読み取るカードリーダー／ライターを備える、
請求項２に記載の脱毛処理装置。
【請求項４】
前記制御部は、前記照射部がパルス光を出射していないときに、前記消毒部による紫外線の発光を開始させる、
請求項２に記載の脱毛処理装置。
【請求項５】
前記照射操作部が前記保持部に保持されていることを検出するセンサーを備え、
前記制御部は、前記照射操作部が前記保持部にあることを検出した場合に前記消毒部による紫外線の発光を開始させる、
請求項２に記載の脱毛処理装置。
【請求項６】
前記制御部は、前記消毒部による紫外線の発光開始から所定時間経過後に紫外線の発光を停止させる、請求項４または５に記載の脱毛処理装置。
【請求項７】
前記制御部は、前記照射部によるパルス光の出射の回数をカウントし、前記回数に基づき利用者に課される料金を計算する、
請求項２から６のいずれかに記載の脱毛処理装置。
【請求項８】
前記照射部によるパルス光の出射の回数、前記回数に基づき利用者に課される料金、及び利用者毎のカードに書き込まれた元の金額から前記料金を引かれた残額のうち、少なくとも一つを表示する表示部を備える、
請求項１から７のいずれかに記載の脱毛処理装置。
【請求項９】
前記照射部を冷却する冷却部を備える、
請求項１から８のいずれかに記載の脱毛処理装置。
【請求項１０】
前記照射部はクリスタルにより構成される照射面を有する、
請求項９に記載の脱毛処理装置。
【請求項１１】
前記保持部は、前記照射操作部の脱落を防止するストッパーを有する、
請求項１から１０のいずれかに記載の脱毛処理装置。
【請求項１２】
外部のサーバーと通信可能であり、前記サーバーに利用者の情報を送信する通信部を備える、請求項１に記載の脱毛処理装置。
【考案の詳細な説明】
【技術分野】
【０００１】
本考案は、脱毛処理装置に関する。特に光脱毛を行う装置に関する。
【背景技術】
【０００２】
従来、光脱毛は、キセノンランプなどのフラッシュランプによる光線を皮膚表面に照射して毛根またはその周囲の細胞組織に化学変化を加えて脱毛する方法が知られている（例えば、特許文献１）。ＩＰＬ（インテンス・パルス・ライト）の光線を、毛や毛根やその周辺組織に照射することにより、広帯域の光エネルギーによって毛根のメラニンに働きかけ、毛根を弱らせて脱毛を促すため、照射威力がレーザーよりも弱く抑えられ、安全性が高い。
【先行技術文献】
【特許文献】
【０００３】
【特許文献１】国際公開第２０１３／１２１５２３号
【考案の開示】
【考案が解決しようとする課題】
【０００４】
光脱毛器は、比較的安全であることから、医療機関以外のエステサロンなどの施設でも広く使用されており、今後も多様な施設において使用されるものと考えられる。また、脱毛処理装置の改良も進んでおり、使用者が手軽に利用できる試みがなされている。例えば、スポーツジムや銭湯などの施設において、セルフ式の脱毛器を設置することが想定される。
【０００５】
脱毛器は、通常光照射部を脱毛部位である皮膚に接触させて光を照射し、これを繰り返すことにより所望の範囲の部位の脱毛を行う。エステサロンなどの施設で使用する場合は、多数の利用者の皮膚に繰り返し光照射部をあてるため、従業員が消毒などを行うことによって光照射部を清潔に維持している。
【０００６】
しかし、複数の利用者がセルフで脱毛器を利用する場合、消毒が徹底できず、衛生面で問題が生じる。また、手作業での消毒は手間がかかり、消毒を忘れてしまうこともある。
【０００７】
本考案の目的は、より簡単且つ確実に清潔さを維持しつつ利用できる脱毛処理装置を提供することである。
【課題を解決するための手段】
【０００８】
本考案の第1の観点に係る脱毛処理装置は、光脱毛を行うための脱毛処理装置であって、装置本体と、照射操作部と、照射部と、保持部と、消毒部とを備える。照射操作部は、装置本体とケーブルを介して接続され、利用者が把持可能である。照射部は、照射操作部に設けられ、脱毛に有効なパルス光を出射する。保持部は、照射操作部を保持する。消毒部は、照射操作部が保持部に保持されているとき照射部に対向するように配置され、紫外線を発光する。
【０００９】
この脱毛処理装置においては、脱毛処理装置は、脱毛する皮膚に接する照射部を確実に消毒することができるため、例えば、多数の利用者に対して使用される場合であっても、清潔に利用することができる。よって、脱毛処理装置は、より簡単且つ確実に清潔さを維持しつつ利用することができる。
【００１０】
本考案の第２の観点に係る脱毛処理装置は、上記第１の観点に係る脱毛処理装置であって、装置本体に設けられ、照射部および消毒部の制御を実行する制御部を備える。この脱毛処理装置においては、効率的に照射部によるパルス光の出射と消毒部による消毒を実行することができる。
【００１１】
本考案の第３の観点に係る脱毛処理装置は、上記第２の観点に係る脱毛処理装置であって、装置本体に設けられ、利用者に課金するための利用者毎のカードを読み取るカードリーダー／ライターを備える。この脱毛処理装置は、複数の利用者が自身で使用することを目的して利用することができる。
【００１２】
本考案の第４の観点に係る脱毛処理装置は、上記第２の観点に係る脱毛処理装置であって、制御部は、照射部がパルス光を出射していないときに、消毒部による紫外線の発光を開始させる。この脱毛処理装置においては、利用中は紫外線を発光させないため、利用者が紫外線に接するリスクを低減し、安全な利用が可能となる。
【００１３】
本考案の第５の観点に係る脱毛処理装置は、上記第２の観点に係る脱毛処理装置であって、照射操作部が保持部にあることを検出するセンサーを備え、制御部は、照射操作部が保持部にあることを検出した場合に消毒部による紫外線の発光を開始させる。この脱毛処理装置においては、照射操作部が保持部に保持されているときに確実に紫外線の発光が開始されるため、利用者が紫外線に接するリスクを低減し、安全な利用が可能となる。
【００１４】
本考案の第６の観点に係る脱毛処理装置は、上記第４または第５の観点に係る脱毛処理装置であって、制御部は、消毒部による紫外線の発光開始から所定時間経過後に紫外線の発光を停止させる。この脱毛処理装置においては、消毒に十分な紫外線発光時間を確保すると共に、利用者が紫外線に接するリスクを低減し、安全な利用が可能となる。
【００１５】
本考案の第７の観点に係る脱毛処理装置は、上記第２から第６の観点のいずれかに係る脱毛処理装置であって、制御部は、照射部によるパルス光の出射の回数をカウントし、同回数に基づき利用者に課される料金を計算する。よって、脱毛処理装置は、複数の利用者を対象としたセルフ脱毛のビジネスに利用することができる。
【００１６】
本考案の第８の観点に係る脱毛処理装置は、上記第１から第７の観点のいずれかに係る脱毛処理装置であって、表示部を備える。表示部は、照射部によるパルス光の出射の回数、同回数に基づき利用者に課される料金、および利用者毎のカードに書き込まれた元の金額から上記料金を引かれた残額のうち、少なくとも一つを表示する。この脱毛処理装置においては、セルフ脱毛を行う複数の利用者に対し必要な情報を提示し、利便性を向上させることができる。
【００１７】
本考案の第９の観点に係る脱毛処理装置は、上記第１から第８の観点のいずれかに係る脱毛処理装置であって、照射部を冷却する冷却部を備える。この脱毛処理装置においては、照射部からの熱による利用者の火傷をより確実に防ぐことができる。
【００１８】
本考案の第１０の観点に係る脱毛処理装置は、上記第９の観点に係る脱毛処理装置であって、照射部はクリスタルにより構成される照射面を有する。この脱毛処理装置においては、照射部からの熱が冷却部により迅速に冷却されるため、照射部からの熱による利用者の火傷をより確実に防ぐことができる。
【００１９】
本考案の第１１の観点に係る脱毛処理装置は、上記第１から第１０の観点のいずれかに係る脱毛処理装置であって、保持部は照射操作部の脱落を防止するストッパーを有する。この脱毛処理装置においては、消毒中に照射部操作部が保持部から誤って脱落して、紫外線が外部に漏れることを防止できるため、装置の安全性を担保することができる。
【００２０】
本考案の第１２の観点に係る脱毛処理装置は、上記第２の観点に係る脱毛処理装置であって、外部のサーバーと通信可能であり、サーバーに利用者の情報を送信する通信部を備える。この脱毛処理装置においては、利用者の情報をサーバーにおいて一括管理できるため課金管理を容易にすると共に、例えばサーバーに蓄積された利用者の情報をマーケティングに活用することが可能となる。また、脱毛処理装置は通信機能を擁することで、通信を介して機械使用の同意書の獲得、カード会社などの与信、利用に関するトラブルや問い合わせに対応するためのコールセンターとの連絡なども実現できる。
【考案の効果】
【００２１】
本考案の脱毛処理装置は、より簡単且つ確実に清潔さを維持しつつ利用するのに有効である。
【図面の簡単な説明】
【００２２】
【図１】本実施の形態に係る脱毛処理装置の外観図。
【図２】紫外線消毒部を含む脱毛処理装置の一部を断面にして示す拡大斜視図。
【図３】紫外線消毒部を含む脱毛処理装置の一部を示す横断面図。
【図４】ハンドピース保持部を含む脱毛処理装置の一部の拡大斜視図。
【図５】光照射部を含む平面図。
【図６】脱毛処理装置の内部構成図。
【図７】脱毛処理装置の動作を示すフローチャート。
【図８】その他実施の形態に係るシステムの概略図。
【考案を実施するための形態】
【００２３】
（実施の形態）
［１−１  構造］
［１−１−１  脱毛処理装置］
図１は本実施形態にかかる脱毛処理装置１（脱毛処理装置の一例）の外観を概略的に示す図である。脱毛処理装置１は、装置本体２（装置本体の一例）と、装置本体２に通電ケーブル４（ケーブルの一例）を介して接続されたハンドピース３（照射操作部の一例）と、ハンドピース３を保持するためのハンドピース保持部５（保持部の一例）と、ディスプレイなどの表示部８（表示部の一例）とを備えている。図２は、本実施形態にかかる脱毛処理装置１のハンドピース３と一部断面のハンドピース保持部５とを拡大して示した概略斜視図であり、図３はハンドピース３とハンドピース保持部５とを含む概略断面図である。ハンドピース３の一側部には照射部３０が設けられている。ハンドピース保持部５の底部には、照射部３０に対向する位置に紫外線消毒部１０（消毒部の一例）が設けられている。図４は、ハンドピース保持部５を拡大して示す概略斜視図である。図５は、本実施形態に係るハンドピース３を照射部３０側からみた平面図である。
【００２４】
図１に示すように、装置本体２は、通電ケーブル４を接続するケーブルコネクタ部２１を有する。ケーブルコネクタ部２１は、装置本体２と、先端にハンドピース３を備えた通電ケーブル４とを接続する。ケーブルコネクタ部２１は、電気系統コネクタと冷却水コネクタとが設けられている。
【００２５】
ハンドピース保持部５は、図１および図４に示すように装置本体２の上部に設けられ、ハンドピース３を保持する形態を有する。特に、ハンドピース保持部５は、図４に示すように、シリコンゴムにより形成されるストッパー５３（ストッパーの一例）を内部に有する。ハンドピース３がハンドピース保持部５に保持された状態においては、ストッパー５３の弾力性によりハンドピース３が脱落しない程度に保持される。
【００２６】
通電ケーブル４は、装置本体２とハンドピース３を接続し、装置本体２とハンドピ−ス３間の各種信号のやり取りをする信号線、キセノンランプへ電力を供給する電力線などを含む。通電ケーブル４はまた、装置本体２とハンドピース３で冷却水を循環させるための冷却水パイプ（図示省略）を収容している。通電ケーブル４は、一端をケーブルコネクタ部２１に、他端はハンドピース３に接続している。
【００２７】
ハンドピース３は、図２および図５に示すように、ハンドピース本体３１、グリップ部３２、照射ボタン３３、および後述する照射部３０を備える。ハンドピース３は、利用者がグリップ部３２またはハンドピース本体３１を手で掴み、脱毛処理を行う部位に照射部３０を対向させて操作される。
【００２８】
ハンドピース３の照射部３０は、図５に示すように、照射窓３７を有し、後述するように内部にパルス光を出射するキセノンランプ３６を備える。図３に示すように、ハンドピース３がハンドピース保持部５に保持された状態においては、照射部３０は紫外線消毒部１０に対向する。
【００２９】
紫外線消毒部１０は、図３に示すように、複数の紫外線ランプ１２を含み、消毒殺菌するための紫外線を発光する。
【００３０】
表示部８は、液晶ディスプレイや有機ＥＬディスプレイなどにより構成され、後述するように脱毛処理装置１の使用方法や状態、照射部３０のパルス光の出射回数、料金などを含む利用者向けの情報を表示する。
【００３１】
［１−１−２  脱毛処理装置の内部構成］
図６は、脱毛処理装置１の内部構成を示す図である。脱毛処理装置１は、装置本体２と、ハンドピース３と、タッチパネル操作部２６を含む表示部８と、紫外線消毒部１０とを備える。
【００３２】
脱毛処理装置１の装置本体２は、既述したケーブルコネクタ部２１に加え、カードリーダー／ライター２３（カードリーダー／ライターの一例）と、冷却部２４（冷却部の一例）と、制御部２５（制御部の一例）と、電源部２９とを備える。
【００３３】
カードリーダー／ライター２３は、例えば装置本体２に設けられたカードを差し込んだり、載置したり、あるいは翳したりする部分（図示省略）に設けられ、脱毛処理装置１の利用者毎に発行されるカード（プリペイドカードなど）の情報を読み取り、また更新される情報をカードに書き込む。利用者のカードからカード情報が読み込まれると表示部８に所定の情報を表示させる。カードは例えば、磁気やＩＣカードなどのプリペイドカードである。表示される所定の情報は、例えば、利用可能な残存金額やこれに対応する照射部３０によるパルス光の出射回数などである。
【００３４】
冷却部２４は、ハンドピース３のキセノンランプ３６の発光に伴う発熱を冷却する。冷却部２４は、照射部３０の照射窓３７の冷却を行うものであり、冷却により、利用者の皮膚表面に光線を照射することによる火傷をより確実に防止する。冷却部２４は、例えば、冷却装置であるペルチェ素子、冷却水を補給、貯水する冷却水タンク、および送水ポンプなどを備える。ペルチェ素子は、ペルチェ効果を利用した熱電素子である。ペルチェ素子は、冷却水タンクから供給された水を冷却する。冷却された水は、送水ポンプにより冷却水パイプを通して循環し、通電ケーブル４を経由してハンドピース３の照射部３０に設けたキセノンランプ３６および照射窓３７を冷却する。この冷却により、照射部３０の照射面はマイナス４度程度まで冷却される。
【００３５】
制御部２５は、メモリ２５１を含み、ＣＰＵなどのプロセッサがメモリ２５１の所定のプログラムを読み込んで実行することにより、照射カウント部２５２、照射制御部２５３、料金計算部２５４、カード記録部２５５、および消毒制御部２５６の各機能を実現する。
【００３６】
メモリ２５１はＲＡＭやＲＯＭなどの記憶素子である。照射カウント部２５２は、ハンドピース３の照射部３０によるパルス光の出射が行われた回数をカウントするタイマーなどである。照射カウント部２５２によりカウントされたパルス光の出射回数はメモリ２５１に一時的に記憶される。照射制御部２５３は、ハンドピース３の照射ボタン３３が操作されたことを検知し、照射部３０のキセノンランプ３６を発光させる。また、照射制御部２５３は、カードリーダー／ライター２３からカード情報が読み込まれたことを検知することにより、照射部３０によるパルス光の出射を可能な状態にする。
【００３７】
料金計算部２５４は、メモリ２５１に記憶されたパルス光の出射回数、予め決められた照射１回の単価、およびメモリ２５１に記憶された利用者のカードの金額情報に基づき、残額料金を計算する。カード記録部２５５は、カードリーダー／ライター２３を介して利用者のカードに更新された残額情報などの情報を書き込む。
【００３８】
消毒制御部２５６は、後述する紫外線消毒部１０のＯＮ／ＯＦＦを制御する。
【００３９】
電源部２９は、電源ボタン（図示省略）を押すことにより脱毛処理装置１の電源をＯＮまたはＯＦＦにする。
【００４０】
ハンドピース３は、既述したように、照射部３０と照射ボタン３３とを備え、照射部３０はキセノンランプ３６と照射窓３７とを有する。照射窓３７は、例えばクリスタルからなる矩形状の導光板により構成され、大きさは、例えば、８ｍｍ×３３ｍｍである。キセノンランプ３６によるパルス光の照射間隔は例えば、約２秒である。キセノンランプ３６は、パルス光を出射する。パルス光は、ホワイトライトをパルス化した光であるフラッシュライトである。照射部３０はまた、フィルターを含み、キセノンランプ３６からの光のうち、紫外線などの有害な光を取り除くとともに、脱毛に有効なメラニンの吸収率が高い波長光を通す。
【００４１】
表示部８は、カード情報、各種設定の状態、アラームなどの情報の他、利用者の操作による照射部３０のパルス光の出射回数、同回数に基づき利用者に課される料金、および利用者毎のカードに書き込まれた元の金額から料金を引かれた残額のうち少なくとも一つを表示する。
【００４２】
タッチパネル操作部２６は、操作の開始および終了、メニューの選択、処理モードの選択（例えば、光の照射箇所に応じてモードに分けたもの）、各モードを設定した後の確認、光の強弱の調整などを実行するための操作ボタンやキーを含む。
【００４３】
紫外線消毒部１０は、ＯＮ／ＯＦＦスイッチ１１と、紫外線ランプ１２とを備える。ＯＮ／ＯＦＦスイッチ１１は、制御部２５の消毒制御部２５６により制御される。具体的には、消毒制御部２５６は、カードリーダー／ライター２３によりカード情報が更新されて操作が終了すると、紫外線消毒部１０をＯＮにして紫外線ランプ１２を発光させる。つまり、紫外線消毒部１０は、脱毛処理装置１が使用されていない間にＯＮとなるように制御される。また、紫外線消毒部１０は、タイマーにより発光開始から所定時間（例えば、１分程度）を計測し、所定時間が経過したら自動的にＯＦＦとなるように制御される。なお、この所定時間は特に限定されないが、消毒が完了するのに十分な時間であればよい。
【００４４】
［１−２  動作］
以下、主に図６および図７を参照しながら、本実施形態に係る脱毛処理装置１の動作について説明する。
【００４５】
本脱毛処理装置１は、例えば、スポーツジムや温泉施設などの不特定多数の利用者がいる施設に設置され、利用者が自身で操作して使用するものである。以下の処理の開始時点においては、電源部２９はＯＮであり、紫外線消毒部１０はＯＦＦの状態であるとする。
【００４６】
ステップＳ１００１：利用者によってカードが差し込まれ（載置されあるいは翳され）、カードリーダー／ライター２３によりカード情報が読み取られたかどうか検出される。カード情報が読み取られた場合はステップＳ１００２に進む。
【００４７】
ステップＳ１００２：カードリーダー／ライター２３により読み取られたカード情報は、メモリ２５１に一時的に記憶され、その一部は表示部８に表示される。
【００４８】
利用者はハンドピース３を把持して照射部３０を所望の脱毛部位に当てる。
【００４９】
ステップＳ１００３：制御部２５の照射制御部２５３は、利用者により、ハンドピース３の照射ボタン３３が操作されたかどうかを検知する。照射ボタン３３が操作されたことを検知した場合は、ステップＳ１００４に進み、検知していない場合はステップＳ１００６に進む。
【００５０】
ステップＳ１００４：照射部３０によりキセノンランプ３６のパルス光が出射され、利用者の脱毛部位に対する照射が実行される。
【００５１】
ステップＳ１００５：照射カウント部２５２により、パルス光の出射回数がカウントされ、メモリ２５１に記憶される。なお、この出射回数は、ステップＳ１００３からステップＳ１００６が繰り返され出射回数がカウントされる毎にインクリメントされ、更新される。
【００５２】
ステップＳ１００６：制御部２５の照射制御部２５３は、利用者による照射が終了したかどうかを判定する。なお、照射が終了したことは、例えば、タッチパネル操作部２６を介して利用者が照射を終了させる操作を実行することにより検知される。照射が終了したと判定された場合ステップＳ１００７に進む。照射が引き続き行われる場合、利用者は他の脱毛部位に照射部３０を当てて新たに照射を実行するため、処理はステップＳ１００３に戻る。
【００５３】
ステップＳ１００７：制御部２５の料金計算部２５４によって料金が計算される。ここでは、上述したようにメモリ２５１に記憶されたパルス光の出射回数、予め決められた１回の照射の単価、およびメモリ２５１に記憶された利用者のカードの金額情報に基づき、支払い金額やカードの残額が計算される。支払い金額とカードの残額料金は表示部８に表示され、カード記録部２５５およびカードリーダー／ライター２３を介して残額を含むカードの情報が更新される。
【００５４】
ステップＳ１００８：カードが取り除かれると、制御部２５の消毒制御部２５６によって紫外線消毒部１０がＯＮにされる。
【００５５】
ステップＳ１００９：タイマーにより、紫外線消毒部１０がＯＮにされてから１分経過したことが検出され、経過した場合はステップＳ１０１０に進む。
【００５６】
ステップＳ１０１０：消毒制御部２５６により、紫外線消毒部１０がＯＦＦにされる。
【００５７】
［１−３  特徴］
本実施の形態に係る脱毛処理装置１は、光脱毛を行うための脱毛処理装置１であって、装置本体２（装置本体の一例）と、ハンドピース３（照射操作部の一例）と、照射部３０（照射部の一例）と、ハンドピース保持部５（保持部の一例）と、紫外線消毒部１０（消毒部の一例）とを備える。ハンドピース３は、装置本体２と通電ケーブル４（ケーブルの一例）を介して接続され、利用者が把持可能な形態を有する。照射部３０は、ハンドピース３に設けられ、脱毛に有効なパルス光を出射する。ハンドピース保持部５は、ハンドピース３を保持可能な形態を有する。紫外線消毒部１０は、ハンドピース３がハンドピース保持部５に保持されているとき照射部３０に対向するように配置され、紫外線を発光する。
【００５８】
このため、脱毛処理装置１は、利用者の皮膚に接する照射部３０を未使用時に確実に消毒することができるため、多数の利用者に対して使用される場合であっても、清潔に利用することができる。よって、脱毛処理装置１は、より簡単且つ確実に清潔さを維持しつつ利用することができる。
【００５９】
好適には、脱毛処理装置１は、装置本体２に設けられ、照射部３０および紫外線消毒部１０の制御を実行する制御部２５（制御部の一例）を備える。このため、脱毛処理装置１は、効率的に照射部３０によるパルス光の出射と紫外線消毒部１０による消毒を実行することができる。
【００６０】
好適には、脱毛処理装置１は、装置本体２に設けられ、利用者に課金するための利用者毎のカードを読み取るカードリーダー／ライター２３（カードリーダー／ライターの一例）を備える。このため、脱毛処理装置１は、複数の利用者が自身で使用することを目的して利用することができる。
【００６１】
好適には、脱毛処理装置１は、照射部３０がパルス光を出射していないときに、紫外線消毒部１０による紫外線の発光を開始させる。このため、脱毛処理装置１は、利用中は紫外線を発光させないため、利用者が紫外線に接するリスクを低減し、安全な利用が可能となる。
【００６２】
好適には、制御部２５は、紫外線消毒部１０による紫外線の発光開始から所定時間経過後に紫外線の発光を停止させる。この脱毛処理装置１においては、消毒に十分な紫外線発光時間を確保すると共に、利用者が紫外線に接するリスクを低減し、安全な利用が可能となる。
【００６３】
好適には、制御部２５は、照射部３０によるパルス光の出射の回数をカウントし、同回数に基づき利用者に課される料金を計算する。このため、脱毛処理装置１は、複数の利用者を対象としたセルフ脱毛のビジネスに利用することができる。
【００６４】
好適には、脱毛処理装置１は表示部８を備える。表示部８は、照射部３０によるパルス光の出射の回数、同回数に基づき利用者に課される料金、および利用者毎のカードに書き込まれた元の金額から上記料金を引かれた残額のうち、少なくとも一つを表示する。このため、脱毛処理装置１は、セルフ脱毛を行う複数の利用者に対し必要な情報を提示し、利便性を向上させることができる。
【００６５】
好適には、脱毛処理装置１は、照射部３０を冷却する冷却部２４（冷却部の一例）を備える。このため、脱毛処理装置１は、照射部３０からの熱による利用者の火傷をより確実に防ぐことができる。
【００６６】
好適には、照射部３０はクリスタルにより構成される照射面を有する。このため、照射部３０からの熱が冷却部２４により迅速に冷却されるため、照射部３０からの熱による利用者の火傷をより確実に防ぐことができる。
【００６７】
好適には、ハンドピース保持部５はハンドピース３の脱落を防止するストッパーを有する。このため、脱毛処理装置１においては、紫外線消毒中にハンドピース３がハンドピース保持部５から誤って脱落して、紫外線が外部に漏れることを防止できるため、装置の安全性を担保することができる。
【００６８】
（その他実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素および機能を組み合わせて、新たな実施の形態とすることも可能である。
【００６９】
＜１＞
上記実施の形態において、脱毛処理装置１はスポーツジムや温泉施設などの不特定多数の利用者がいる施設に設置され、利用者が自身で操作して使用するものとしているが、これに限定されない。エステサロンや医療機関に設置され、エステティシャンや医者が脱毛を施術するために使用するものであってもよいし、個人で使用するものであってもよい。この場合、脱毛処理装置１は、カードリーダー／ライター２３、および制御部２５における料金計算部２５４およびカード記録部２５５を備えていなくてもよい。
【００７０】
＜２＞
上記実施の形態において、紫外線消毒部１０のＯＮは、例えばタッチパネル操作部２６に設けられた終了ボタンの操作に応じて行ってもよい。この場合、制御部２５の消毒制御部２５６は終了ボタンが操作されたとき紫外線消毒部１０をＯＮにする。
【００７１】
あるいは、ハンドピース３がハンドピース保持部５にあることを検知するセンサーを設けて、制御部２５の消毒制御部２５６はそのセンサーの検知に応じて紫外線消毒部１０をＯＮにしてもよい。これにより、脱毛処理装置１は、ハンドピース３がハンドピース保持部５に保持されているときに確実に紫外線の発光が開始されるため、利用者が紫外線に接するリスクを低減し、安全な利用が可能となる。
【００７２】
＜３＞
上記実施の形態に係る脱毛処理装置１は、無線または有線の通信部を備え、通信部を介して外部のサーバーに接続可能とした構成であってもよい。図８は、サーバー９を含むシステムを示す。サーバー９（サーバーの一例）は、各施設に設置された複数の脱毛処理装置１と通信可能であり、複数の利用者情報を登録し管理する。
【００７３】
具体的には、脱毛処理装置１は通信部２７を更に有する。通信部２７は、無線または有線の通信を行う通信回路を含む。サーバー９は、無線または有線の通信を行う通信部９７と、ＣＰＵなどのプロセッサやメモリから構成される制御部９５と、磁気記憶装置や半導体メモリなどの記憶部９８とを有する。なお、記憶部９８は別の記憶サーバー或いは記録媒体であってもよい。記憶部９８には、利用者情報が記憶され、利用者のＩＤ情報、支払い方法に関する情報（クレジットカードや口座引き落とし等）、利用の履歴情報、脱毛の施術に関する同意書の情報などが記憶されている。
【００７４】
利用者が脱毛処理装置１の利用に際して例えばＩＣカードをカードリーダー／ライター２３にカードを翳すと、読み込まれたカード情報が制御部２５および通信部２７を介してサーバー９に送信される。サーバーの通信部９７を介して受信されたカード情報は、制御部９５により記憶部９８の利用者情報のＩＤ情報と照合される。利用者が脱毛処理装置１の利用を終了すると、利用金額を含む利用情報がサーバー９に送信され、制御部９５の処理を介して支払い処理がなされる。
【００７５】
なお、脱毛処理装置１は、サーバー９におけるＩＤ情報との認証が成功した場合のみ利用者に利用を許可するようにしてもよい。
【００７６】
このシステム１００においては、利用者への課金管理はサーバー９によって一括して行われるため、利用者はプリペイドカードによる支払いが不要となり、利便性が向上する。また、サーバー９により利用者の利用情報か蓄積できるため、マーケティングの情報として活用できる。更に、サーバー９において予め登録された利用者に限定した利用が可能となるため、利用時のトラブルのリスクを低減することができる。また、通信を介して機械使用の同意書の獲得、カード会社などの与信、利用に関するトラブルや問い合わせに対応するためのコールセンターとの連絡なども実現できる。
【００７７】
＜４＞
タッチパネル操作部２６に代えて、装置本体２にボタン、レバーなどを設けて操作可能にしてもよい。
【００７８】
また、緊急停止ボタンを設けてもよい。緊急停止ボタンは、緊急事態が発生した場合に強制的に光の照射などを停止させる。
【００７９】
＜５＞
表示部８は、ヘルプの情報や警告情報などを表示するようにしてもよい。
【００８０】
＜６＞
図７に示す脱毛処理装置１の処理フローの順序は、これに限定されない。例えば、その一部の処理の順序が入れ替わってもよい。
【００８１】
＜７＞
脱毛処理装置１は、個室に１台ずつ設置され利用される形態であってもよい。また、この個室内にアクセスポイントを設け、アクセスポイントを介して脱毛処理装置１と上記のサーバー９との通信を行うようにしてもよい。
【００８２】
＜８＞
図１〜図５に示す脱毛処理装置１の外形、構造、各部の位置などは、これに限定されず、本考案の主旨に沿って変更可能である。
【産業上の利用可能性】
【００８３】
本考案は、脱毛を行う脱毛器具として利用可能である。
【符号の説明】
【００８４】
１          ：脱毛処理装置
２          ：装置本体
３          ：ハンドピース
４          ：通電ケーブル
５          ：ハンドピース保持部
８          ：表示部
９          ：サーバー
１０        ：紫外線消毒部
１１        ：ＯＦＦスイッチ
１２        ：紫外線ランプ
２１        ：ケーブルコネクタ部
２３        ：カードリーダー／ライター
２４        ：冷却部
２５        ：制御部
２７        ：通信部
２６        ：タッチパネル操作部
２９        ：電源部
３０        ：照射部
３１        ：ハンドピース本体
３２        ：グリップ部
３３        ：照射ボタン
３６        ：キセノンランプ
３７        ：照射窓
５３        ：ストッパー
９７        ：通信部
９５        ；制御部
９８        ：記憶部
２５１      ：メモリ
２５２      ：照射カウント部
２５３      ：照射制御部
２５４      ：料金計算部
２５５      ：カード記録部
２５６      ：消毒制御部
【図１】
0003208358.tif 000003
【図２】
0003208358.tif 000004
【図３】
0003208358.tif 000005
【図４】
0003208358.tif 000006
【図５】
0003208358.tif 000007
【図６】
0003208358.tif 000008
【図７】
0003208358.tif 000009
【図８】
0003208358.tif 000010